(57)【要約】【課題】台座を大きくすることなく、手摺りの撓みを低減し、使用者の「取付強度が弱いのではないか？」との不安感を解消する手摺りを提供する。【解決手段】使用者が把持可能な把持部と、前記把持部の両端に位置し、壁面の取付部位に当接する当接面を有する台座部とを備え、壁面に穿設された取付孔にボルトを挿入し、ナットで螺嵌することで前記台座部を前記壁面に固定する手摺りであって、前記把持部に荷重が加わった際に、前記台座部が前記ボルトを軸として回転することを防止する回転防止手段を備え【選択図】  図２
2009155916.tif 000002
【特許請求の範囲】
【請求項１】
使用者が把持可能な把持部と、
前記把持部の両端に位置し、壁面の取付部位に当接する当接面を有する台座部と、を備え、
壁面に穿設された取付孔にボルトを挿入し、ナットで螺嵌することで前記台座部を前記壁面に固定する手摺りであって、
前記把持部に荷重が加わった際に、前記台座部が前記ボルトを軸として回転することを防止する回転防止手段を備えた
ことを特徴とする手摺り。
【請求項２】
前記回転防止手段は、前記当接面に凸設された凸部を、前記壁面における前記凸部と対向する位置に凹設された凹部に嵌挿させてなることを特徴とする請求項１記載の手摺り。
【請求項３】
前記回転防止手段は、前記ボルトより固定力が小さく、且つ前記ボルトより前記把持部から離れた位置に配置されることを特徴とする請求項１及び２のいずれかに記載の手摺り。
【請求項４】
前記台座部は合成樹脂からなり、前記当接面の外周縁部の内側を凹ませて金属性の補強板が埋設され、
該補強板は、前記ボルト及び前記凸部が貫通する貫通孔を備えていることを特徴とする請求項２及び３のいずれかに記載の手摺り。
【請求項５】
前記補強板は、前記外周縁部の内側全体に位置決めされた状態で取り付けられることを特徴とする請求項４記載の手摺り。
【請求項６】
前記当接面の外周縁部には、水抜き用の流路が形成されていることを特徴とする請求項１〜３のいずれかに記載の手摺り。
【請求項７】
前記当接面の外周縁部には、前記補強板を回避して前記水抜き用の流路が形成されていることを特徴とする請求項４及び５のいずれかに記載の手摺り。
【発明の詳細な説明】
【技術分野】
【０００１】
本発明は、浴室等に取り付けられる手摺りに関する。
【背景技術】
【０００２】
一般住戸の浴室では、浴槽への出入りを安全に行えるように、手をかけられる手摺りが壁面に取り付けられることが多い。この手摺りは、主に使用者が把持可能な把持部と、把持部の両端に位置し、壁面の取付部位に当接する台座部とに分割される。
【０００３】
把持部の素材は、ＳＵＳ製管の表面を鏡面処理したものや、樹脂を被覆したものが広く採用されている。他方、台座部の素材は、鋳物製やダイカスト製等もあるが、コストの関係上、樹脂製のものが広く採用されている。
【０００４】
把持部と台座部との間は、適宜、ねじ止めや圧着など多様な方法で接合し取り付けられる。これに対し、台座部は、取付壁面に対し、ボルトやねじなどで取付固定される。特に、ユニットバス等に取り付けられる手摺りの大半は、台座部１箇所に対しボルト１本の割り当てで取付固定される（例えば、特許文献１，２参照。）。これは、施工性やコストを考慮して、シンプルな構成にしようとすることによるものである。
【０００５】
【特許文献１】特開平８−２６０６４５号公報
【特許文献２】特開平９−８８２９１号公報
【発明の開示】
【発明が解決しようとする課題】
【０００６】
ところで、手摺り使用時においては、把持部の中央に力がかかった際、把持部が弓なりに曲がるだけでなく、台座部が、把持部が弓なりになった影響を受け、取付ボルトを軸に、回転や変形をしようとする。把持部自体の撓み量よりも台座の回転や変形が悪影響を及ぼすことが多い。
【０００７】
この台座部の回転が起きるのは、上述したように、台座部をボルト１本で止めているからであり、ボルトを中心に台座部が回転する。また、台座部の変形が起きるのは、台座部が樹脂製であり強度が弱く、応力の影響を受けるからである。
【０００８】
このように手摺り全体が大きく撓むと、使用者から見れば、「取付強度が弱いのではないか？」との不安感を与えることがある。
台座の取付ボルトを２本またはそれ以上にすれば、このような不安は解消するが、追加のボルトを止めるスペースが台座上に必要となり、結果、台座部の寸法が大きくなってしまい、台座部のボリューム感が必要以上に出て意匠的に好ましくない。また追加のボルト、及びそれを止める施工手間が発生し、コストも増大する。
【０００９】
台座部の形状は、円弧を多様した丸型や、直線基調の四角型が広く採用されている。取付られる壁面の色調や柄は、単色、抽象柄、直線柄などがある。台座部が直線基調の四角型であり、壁面の柄が直線柄という組合せ条件下では、各々の直線間に、視覚的に平行で均一な間隔が生まれる。
【００１０】
この様な状態において、上述した台座部の回転や変形が生じると、平行で均一であった間隔が崩れ、見た目の印象（＝品位）が著しく落ちてしまうという不都合を生じさせる。
【００１１】
本発明は、上述した事情を考慮してなされたもので、台座を大きくすることなく、手摺りの撓みを低減し、使用者の「取付強度が弱いのではないか？」との不安感を解消する手摺りを提供することを目的とするものである。
【課題を解決するための手段】
【００１２】
本発明に係る手摺りは、上述した課題を解決するために、使用者が把持可能な把持部と、前記把持部の両端に位置し、壁面の取付部位に当接する当接面を有する台座部とを備え、壁面に穿設された取付孔にボルトを挿入し、ナットで螺嵌することで前記台座部を前記壁面に固定する手摺りであって、前記把持部に荷重が加わった際に、前記台座部が前記ボルトを軸として回転することを防止する回転防止手段を備えたものである。
【００１３】
前記回転防止手段は、好適には、前記当接面に凸設された凸部を、前記壁面における前記凸部と対向する位置に凹設された凹部に嵌挿させてなることが望ましく、より好適には、前記ボルトより固定力が小さく、且つ前記ボルトより前記把持部から離れた位置に配置されることが望ましい。
【００１４】
そして、好適には、前記台座部は合成樹脂からなり、前記当接面の外周縁部の内側を凹ませて金属性の補強板が埋設され、該補強板は、前記ボルト及び前記凸部が貫通する貫通孔を備えていることとすることができる。また、前記補強板は、好適には、前記外周縁部の内側全体に位置決めされた状態で取り付けられることとしてもよい。
【００１５】
さらに、前記当接面の外周縁部には、好適には、水抜き用の流路が形成されていてもよく、或いは、前記補強板を回避して前記水抜き用の流路が形成されていてもよい。
【発明の効果】
【００１６】
本発明に係る手摺りによれば、台座を大きくすることなく、手摺りの撓みを低減し、使用者の「取付強度が弱いのではないか？」との不安感を解消することができる。
【発明を実施するための最良の形態】
【００１７】
本発明に係る手摺りの実施の形態について、添付図面を参照して説明する。図１は、本発明に係る手摺り１の一実施形態の全体的な概要を示すものである。
【００１８】
この手摺り１は、使用者が把持可能な把持部としてのバー２と、バー２の両端に位置し、壁面の取付部位に当接する台座部３とを備える。
【００１９】
円柱状のバー２は、例えば、ＳＵＳ製管の表面を鏡面処理したものである。他方、台座部３は、直方体の一面が半円状に膨出した形状を呈する。
【００２０】
台座部３は、図２に示すように、台座本体４、台座カバー５、キャップ６の外、回転防止プレート７、手摺り取付ボルト８、回転防止ねじ９等を備える。
【００２１】
樹脂製の台座本体４は、その左右側面、外面及び上面が台座カバー５により掩蔽され、バー２側の内面はキャップ６により掩蔽される。キャップ６は、キャップ押さえ１０により台座本体４に取り付けられる。これら台座カバー５及びキャップ６は、例えば、ＡＢＳ樹脂等にニッケルクロムめっきを施したものである。
【００２２】
台座本体４は、その主要部から、バー２に内嵌する嵌合部４ａが延出し、この嵌合部４ａにバー２が外嵌され、バー固定ねじ１１によって台座本体４に固定される。
【００２３】
そして、台座本体４には、ボルト挿通孔４ｂが設けられ、このボルト挿通孔４ｂに手摺り取付ボルト８が挿通され、壁パネル１２裏面に設けられた手摺り取付ナット１３に螺合して、手摺り１が壁パネル１２に固定される。
【００２４】
また、台座本体４には、バー２から離れた位置にねじ孔４ｃが２個所設けられ、ここに回転防止ねじ９が挿通し、壁パネル１２にねじ固定される。
壁パネル１２と台座本体４との間には、補強板としての回転防止プレート７が挟装される。
【００２５】
図３に、台座本体４の壁パネルに１２対向する面を示す。台座本体４には、上述したボルト挿通孔４ｂ及びねじ孔４ｃが設けられる。そして、台座本体４は、回転防止プレート７を収納可能なように、外周縁部に比べて内部が凹んで形成される。また、外周縁部には、複数の切り欠きが設けられ水抜き溝部４ｄが形成される。
【００２６】
この台座本体４に、回転防止プレート７を嵌め込むと、図４に示すように、回転防止プレート７と台座本体４の外周縁部とが略面一となる。
【００２７】
この回転防止プレート７は、図５（ａ）に示すように、台座本体４に嵌合可能な形状を有するとともに、手摺り取付ボルト８や回転防止ねじ９が貫通する貫通孔７ａ，７ｂが設けられる。また、図５（ｂ）に示すように、周囲の一部を屈曲延出させた屈曲部７ｃを設けることにより、より大きな強度を得ることができる。
【００２８】
図６及び図７に、台座本体４に、回転防止プレート７並びに手摺り取付ボルト８及び回転防止ねじ９を取り付けた状態を示す。水抜き溝部４ｄの深さは、回転防止プレート７の厚みより大きく形成されるので、回転防止プレート７の裏面に廻った水も抜くことができる。
【００２９】
図８は、台座本体４に台座カバーを取り付けた状態を示す図である、台座カバー５は、直接壁パネル１２と接触しないように、その端面は、台座本体４の外周縁部より若干後退した位置にくるように形成される。
【００３０】
本実施の形態に係る手摺り１は上記のように構成されており、以下その作用について説明する。
【００３１】
バー２に荷重が加わっても、回転防止ねじ９により台座部３が回転しないため、バー２の撓み量を小さくすることができる。撓み量を小さくすることで、使用者の「取付強度が弱いのではないか？」との不安感を解消でき、安全性が確保される。
【００３２】
また、壁パネル１２表面の柄が直線柄であっても、台座部３の回転量が小さいので、壁パネル１２の柄との整合性が崩れることなく品位を保て、意匠性を損なうこともない。
【００３３】
台座部３はコンパクトである方が意匠性に優れるため好ましい。回転防止手段をボルトのような大きな部材で固定させようとすると、コンパクトにすることができなくなる。そこで、回転防止ねじ９という固定力の小さいコンパクトな部材で回転を防止させることとした。
【００３４】
特にこの回転防止ねじ９を手摺り取付ボルト８よりバー２側に配置させてしまうと、バー２に荷重が加わった際、回転防止ねじ９に大きなモーメントがかかり回転防止ねじ９が破損したり外れてしまうおそれがある。そこで、固定力の小さいコンパクトな部材で回転防止させても、信頼性を持たせるために、回転防止ねじ９を手摺り取付ボルト８よりバー２から離れた位置に配置させることとした。
【００３５】
そして、台座本体４の外周縁部の内側を凹ませて金属性の回転防止プレート７が埋設されるので、台座本体４が強度の小さい材料から形成されていても、バー２に大きな荷重が加わった際に、台座本体４（特に手摺り取付ボルト８よりバー２側）が塑性変形してしまうことを防止できる。このように金属板を取り付けても、台座本体全体を金属製とするよりも安価に製造できることは言うまでもない。
【００３６】
また、回転防止プレート７は、台座本体４の外周縁部に比べて凹んで形成された内部に嵌合埋設され、外周縁部の内側全体に位置決めされた状態で取り付けられているので、共回りすることがないため、補強機能を充分に発揮することができる。
【００３７】
さらに、台座本体４の外周縁部には、水抜き溝部４ｄが形成されているので、台座本体４の当接面と壁パネル１２の間に水が浸入しても、水抜き溝部４ｄにより水が抜け易くなっているため、カビや水垢などの汚れが発生し難い。また、台座カバー５及びキャップ６に、めっきを施している場合には、めっき部分に長時間、水が触れることがないため、めっき部分の腐食を防止することもできる。
【００３８】
次に、本発明に係る手摺りの他の実施形態について、図９を参照して説明する。
【００３９】
本実施の形態の台座本体４Ａは、図９（ａ）に示すように、回転防止ねじ９に代えて、台座本体４の外周縁部上に複数の円柱状のダボ４ｅを有する点で、第１の実施形態におけるものと基本的に相違し、他の構成は第１の実施形態と実質的に同じであり、同じ符号を付して説明を省略する。なお、この場合、壁面にダボ４ｅが嵌挿されるように、ダボ４ｅと対応する位置に予め凹部が形成されている。
【００４０】
図９（ｂ）に示す台座本体４Ｂでは、ダボ４ｅの形状が、四角錐の先端を尖らせたものとなっているが、この形状でも、円柱状のダボ４ｅと同等の効果を得ることができる。
【００４１】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【００４２】
例えば、２本のバーの接続部分にも台座部を設けて連設された状態の手摺りとすることも可能である。
【図面の簡単な説明】
【００４３】
【図１】本発明に係る手摺りの一実施形態の全体を示す図。
【図２】図１に示された手摺りの台座部の縦断面図。
【図３】回転防止プレート取り付け前の台座本体を示す斜視図。
【図４】回転防止プレートを取り付けた状態の台座部を示す斜視図。
【図５】回転防止プレートの例を示す図。
【図６】回転防止プレート並びに手摺り取付ボルト及び回転防止ねじを取り付けた状態の台座部を示す斜視図。
【図７】回転防止プレート並びに手摺り取付ボルト及び回転防止ねじを取り付けた状態の台座部を示す側面図。
【図８】台座本体に台座カバーを取り付けた状態の台座部を示す斜視図。
【図９】本発明に係る手摺りの他の実施例を示す図。
【符号の説明】
【００４４】
１  手摺り
２  バー
３  台座部
４，４Ａ，４Ｂ  台座本体
４ａ  嵌合部
４ｂ  ボルト挿通孔
４ｃ  ねじ孔
４ｄ  水抜き溝部
４ｅ  ダボ
５  台座カバー
６  キャップ
７  回転防止プレート
７ａ，７ｂ  貫通孔
７ｃ  屈曲部
８  手摺り取付ボルト
９  回転防止ねじ
１０  キャップ押さえ
１１  バー固定ねじ
１２  壁パネル
１３  手摺り取付ナット
【図１】
2009155916.tif 000003
【図２】
2009155916.tif 000004
【図３】
2009155916.tif 000005
【図４】
2009155916.tif 000006
【図５】
2009155916.tif 000007
【図６】
2009155916.tif 000008
【図７】
2009155916.tif 000009
【図８】
2009155916.tif 000010
【図９】
2009155916.tif 000011